(57)【要約】【課題】  情報トラックにアニールされた領域が生じることなく、かつ一つの媒体に対してアニール処理する時間が短時間で済む、光磁気記録媒体の加熱処理装置を提供する。【解決手段】  メインビーム３１と２つのサブビーム３２，３３を光磁気記録媒体に照射する３ビーム加熱処理装置であって、メインビーム３１でランド２１またはグルーブ２２にトラッキングを掛け、トラッキングを掛けられたランド２１またはグルーブ２２の両側の側壁部２３をそれぞれサブビーム３２，３３で加熱処理する。【選択図】  図２
2005293767.tif 000002
【特許請求の範囲】
【請求項１】
ランドとグルーブの間に境界部を有し、ランドとグルーブの両方を情報トラックとして用いた光磁気記録媒体の加熱処理装置であって、
複数のビーム光を用い、該複数のビーム光のうちの1本のビーム光でランドまたはグルーブにトラッキングを掛け、該トラッキングを掛けられたランドまたはグルーブの両側の境界部をそれぞれ、残りのビーム光で加熱処理する、光磁気記録媒体の加熱処理装置。
【請求項２】
加熱処理に用いられるビーム光のスポットサイズが、トラッキングに用いるビーム光のスポットサイズより小さい請求項１に記載の光磁気記録媒体の加熱処理装置。
【請求項３】
ランドとグルーブの両方を記録再生領域である情報トラックとして用い、該情報トラックに情報が記録され、前記情報トラックに再生用光ビームを照射することにより記録マークの磁壁を移動させ、前記再生用光ビームの反射光が有する偏光面の変化を検出することで前記情報が再生される磁壁移動型の光磁気記録媒体の前記ランドと前記グルーブの境界部をビーム光を用いて加熱処理する装置であって、
複数のビーム光を用い、該複数のビーム光のうちの1本のビーム光でランドまたはグルーブにトラッキングを掛け、該トラッキングを掛けられたランドまたはグルーブの両側の境界部をそれぞれ、残りのビーム光で加熱処理する、光磁気記録媒体の加熱処理装置。
【発明の詳細な説明】
【技術分野】
【０００１】
本発明は、磁性薄膜に情報を記録する光磁気記録媒体に関し、特に、記録した情報を磁壁移動再生方式により再生する光磁気記録媒体に関する。
【背景技術】
【０００２】
光磁気記録媒体における、書き換え可能な高密度記録方式として、半導体レーザの熱エネルギーを用いて磁性薄膜に磁区を書き込むことで情報を記録し、光磁気効果を用いて情報を読み出すものがある。近年、この方式を用いた光磁気記録媒体の記録密度を更に高めて大容量の記録媒体を実現しようとする要求が高まっている。
【０００３】
光磁気記録媒体である光磁気ディスクの線記録密度は、再生光学系のレーザ波長と、対物レンズの開口数に大きく依存する。しかし、再生光学系のレーザ波長や対物レンズの開口数の改善には限界がある。そのため、記録媒体の構成や読み取り方法を工夫することで記録密度を改善する技術が開発されている。
【０００４】
例えば、特許文献１に開示されている技術がある。それによれば、磁気的に結合された磁壁移動層と記録保持層とを有する多層膜の構成において、情報は記録保持層に記録される。そして、情報再生時には、光ビームの照射による温度勾配を利用して、記録保持層に記録した情報を変化させることなく、磁壁移動層の記録マークの磁壁を移動させる。そして、光ビームスポットの一部領域が同一の磁化になるように磁壁移動層を磁化させて、光ビーム反射光の偏光面の変化を検出することにより、光の回折限界以下の記録マークを再生する。
【０００５】
この方法によれば、光の回折限界以下の記録マークの再生が可能であり、記録密度及び転送速度が大幅に向上した光磁気記録媒体及びその再生方法が実現可能である。
【０００６】
なお、この光磁気記録媒体では、光ビームの照射による温度勾配を利用して磁壁移動層における記録マークの磁壁の移動を起こり易くするために、情報記録再生トラックを挟む両隣接グルーブに高パワーのレーザ光を照射することでグルーブを高温加熱処理（以下、アニール処理と称する）し、グルーブ部分の記録媒体層を変質させるアニール処理が施されている。このアニール処理により、記録マークを形成する磁壁が閉じた磁区にならないという効果を得ることができる。これにより、隣接する情報トラックの磁性層間の結合が消失するので、より安定した磁壁の移動が可能である。このアニール処理により良好な再生信号を得ることができる。
【０００７】
ところが、上記従来例においては、アニール処理を前提とする場合は、グルーブをアニール処理するため、情報トラックとしてランドのみ使用可能で高密度化を図ることが難しいという、課題があった。
【０００８】
また、最近では、更なる高密度化を目指して、アニール処理を必要とせず、ランド部とともにグルーブ部分も情報トラックとして使用可能な光磁気ディスクに関する研究が盛んである。これによれば、光磁気ディスクの情報トラックに対して垂直方向に高密度化が可能となるとされている。
【０００９】
例えば、特許文献２では、基板における溝部側壁部の表面粗さをコントロールすることにより、ランド部ばかりでなくグルーブ部も記録可能な媒体（以下、ランド・グルーブ記録媒体と称する）を実現している。
【００１０】
このようにして、従来、光磁気記録媒体のトラックは、０．５μｍ程度までの狭トラックピッチ化が可能となっている。実験によれば、トラックピッチ０．５４μｍの深溝（溝深さが約１６０ｎｍ）のランド・グルーブ基板を用いて、線記録密度として０．０８μｍ／ｂｉｔの記録再生が実用レベルで確認されている。これは、記録密度として１５Ｇｂｉｔ／ｉｎｃｈ2に相当する。
【００１１】
また、ランドとともにグルーブを記録可能とする場合は、１００ｎｍ程度以上の比較的深い溝を前提としているものであり、そのため、入射光の近接場的振る舞いにより、ランド部をトレースしている時と、グルーブ部をトレースしている時で形成される温度分布が大きく異なり、特に、ランド部記録時は相対的に、グルーブ部のトレース時よりもより大きな記録パワーが必要となり、ランド部の記録を最適記録パワーで行うとグルーブ部のデータを破壊してしまう、いわゆる、クロスライトしてしまうという課題があった。
【００１２】
また、深溝基板は、成型が難しく、狭トラックピッチ化も難しいという問題がある。
【００１３】
そこで、これらの課題を解決する方法として、本出願人により提案された特許文献３に示されているように、相対的な段差が記録再生に係る光源波長の1/8程度以下である、比較的浅い溝のランド部とグルーブ部を両方ともトラックとして使用するようにする為、予め、ランドとグルーブの間の境界部（以下、側壁部と称する）にレーザービーム照射のアニール処理で物性を変質させる方法によりランドとグルーブの間を磁気的に分断するようにする。
【００１４】
こうすることにより、記録媒体の半径方向においてトラック間が磁気的に分断された、浅い溝を使用したランド・グルーブ記録に対応した、狭トラックピッチの、より高密度な情報記録が可能な光磁気記録媒体を提供することが可能となる。
【特許文献１】特開平０６−２９０４９６号公報
【特許文献２】特開平１１−１９５２５２号公報
【特許文献３】特願２００２−１２２４３１号
【発明の開示】
【発明が解決しようとする課題】
【００１５】
特許文献３のようにランド・グルーブ間の側壁部をアニール処理する際、単純で効率の良い方法が検討される。そこで発明者らは上記アニール処理を鋭意検討した際、アニール処理されるレーザーパワーで、ある側壁部をアニール処理した後、その隣の側壁部をアニール処理するために、該アニール処理されるレーザーパワーのままトラックを横断（トラックジャンプとも呼ばれる。）した後に側壁部をアニール処理すると、情報記録トラック即ちランド部あるいはグルーブ部に、トラックを横断した際にアニール処理された領域が形成されてしまうことを見出し、そのために、情報トラックに記録磁区が形成されない領域が生じ、有効な記録領域が減少するという問題を懸念した。
【００１６】
また、これを解決するため、情報トラックの片側の側壁部をアニール処理されるレーザーパワーでアニール処理した後、アニール処理されないレーザーパワーで情報トラックを横断した後、再度、アニール処理されるレーザーパワーで、もう片側の側壁部をアニール処理するという方法を提案した（提案番号０５５１７１６５）が、この方法は一つの側壁部ごとに加熱処理方法を行わなければならず、時間のかかる工程である。
【００１７】
そこで本発明の目的は、上記背景技術の実状に鑑み、情報トラックにアニールされた領域が生じることなく、かつ一つの媒体に対してアニール処理する時間が短時間で済む、光磁気記録媒体の加熱処理装置を提供することにある。
【課題を解決するための手段】
【００１８】
上記目的を達成するために、本発明は、ランドとグルーブの間に境界部を有し、ランドとグルーブの両方を情報トラックとして用いた光磁気記録媒体の加熱処理装置であって、複数のビーム光を用い、該複数のビーム光のうちの1本のビーム光でランドまたはグルーブにトラッキングを掛け、該トラッキングを掛けられたランドまたはグルーブの両側の境界部をそれぞれ、残りのビーム光で加熱処理することを特徴とする。このような構成では、１つの工程で情報トラックの両側の側壁部を同時に加熱処理することが可能である。
【００１９】
また、本発明の加熱処理方法は、ランドとグルーブの両方を記録再生領域である情報トラックとして用い、該情報トラックに情報が記録され、前記情報トラックに再生用光ビームを照射することにより記録マークの磁壁を移動させ、前記再生用光ビームの反射光が有する偏光面の変化を検出することで前記情報が再生される磁壁移動型の光磁気記録媒体の前記ランドと前記グルーブの境界部をビーム光を用いて加熱処理する場合にも好適である。
【発明の効果】
【００２０】
本発明によれば、ランドまたはグルーブの両サイドの側壁部のみに同時にビーム光を照射することにより、１つの工程で所望の領域の側壁部の高温加熱処理が行われるので、効率よく短時間で側壁部の物性を変質させることが可能となる。また、これにより、ランド・グルーブ間を磁気的に分断するようにしたので、安定した磁壁移動再生が行えるランド・グルーブ記録対応の光磁気記録媒体を提供できる。
【発明を実施するための最良の形態】
【００２１】
以下、本発明の実施の形態について図面を参照して説明する。なお、以下の実施形態は一例であり、本発明はこれら実施形態により限定を受けるものではない。
【００２２】
図１に本発明の一実施形態に係るアニール処理装置の構成図を示す。
【００２３】
図１において、本実施形態のアニール処理装置は、半導体レーザ１からの光束を、回折格子（グレーティング）２で回折を受けない光束と±1次回折光である２つの光束とに分け、両光束をPBS（偏光ビームスプリッタ）３を透過させて２つの光路に分け、コリメータ４により略平行光束とし、λ/４板５を介して対物レンズ６で光磁気ディスク７上に、メインビームと２つサブビームとして集光させる構成となっている。さらに、対物レンズ６は該対物レンズを可動させるアクチュエータ１０を備える。アクチュエータ１０にはアクチュエータドライブ回路１２が接続され、対物レンズ６の移動が制御されている。また、光磁気ディスク７で反射された光は再び対物レンズ６、λ/４板５およびコリメータ４を通りPBS３で別の光路に向けられ、センサーレンズ８を通ってセンサー９に入射する。センサー９には、極性切り替え回路及びトラッキングエラー検出回路からなるトラッキングエラー生成回路１１が接続され、生成したトラッキングエラーの信号をアクチュエータードライブ回路１２に出力する。アクチュエータードライブ回路１２はトラッキングエラー生成回路１１からの信号により対物レンズ６のアクチュエータ１０を駆動し、トラッキングエラーを正す。
【００２４】
光磁気ディスク７は、図２に示すように、ランド・グルーブ記録に対応したランド２１とグルーブ２２、及びランドとグルーブ間の側壁部２３（即ちランドとグルーブの境界部）からなる。対物レンズ６で集光されたビームは、メインビーム３１と２つのサブビーム３２、３３からなり、メインビーム３１は情報トラックであるグルーブ２２へ、サブビーム３２とサブビーム３３はそれぞれ、グルーブ２２の両サイドの側壁部２３へ集光されている。なお、メインビーム３１がランド２１に集光されるとき、サブビーム３２、３３はそれぞれランド２１の両サイドの側壁部２３へ集光される。
【００２５】
こうして、高強度の微小スポット（サブビーム３２、３３）で側壁部２３をアニール処理する。
【００２６】
ＤＷＤＤ（Domain Wall Displacement Detection）方式で再生が可能な光磁気ディスクにおいて、ＤＷＤＤ動作をスムーズに行わせるためには、情報トラック間（ランドとグルーブの間の側壁部）を熱処理する必要があるが、この熱処理幅はできるだけ狭いほうが、トラックピッチを狭めることができ、高密度化が可能となる。狭い幅の熱処理を行うために本願の光ディスク熱処理装置では、半導体レーザ1の波長は５００ｎｍ以下の短波長レーザを使用することが望ましい。
【００２７】
また高ＮＡの対物レンズ（例えばＮＡ＝０．８５）を使用し、ビームスポットを狭めることも有効である。高ＮＡの対物レンズを使用する上で、本発明の光ディスク熱処理装置では、光磁気ディスクの記録層が形成されている側から熱処理用光ビームを照射し、ディスクが傾いても、収差でビームスポットが歪むことを避けている。（図５参照）
基板越しに光を投入させると、特に高ＮＡの対物レンズを使用しているときには、基板の厚みの変化でフォーカスずれが生じたり、ディスクの傾きでコマ収差が発生し、良好な熱処理をすることが困難となるからである。
【００２８】
本実施形態においては、高強度の微小スポット（サブビーム３２、３３）を得るために、半導体レーザ１の波長を４０５ｎｍとし、対物レンズ６は、NA（開口数）=０．８５を採用した。
【００２９】
熱処理条件は、光磁気ディスク7の回転速度２〜６ ｍ/ｓで、サブビーム強度４ ｍW 〜 ７ ｍW程度の間の最適値を捜して設定した。また、強度は、図５の誘電体保護層６４の厚さを選定し、反射率を調整することによっても制御できる。
【００３０】
このとき、メインビームとサブビームの強度比は、０．１〜０．２：１程度になるように設定されており、結果、ランド２１とグルーブ２２にはアニール処理の影響は出ないようになっている。
【００３１】
サブビーム（１次回折光）とメインビーム（０次回折光）との前記強度比は、図４に示すように格子の位相差を１８０deg近傍にすれば、１次光と０次光の強度比が所望の比率になる設定できる。
【００３２】
次に復路であるが、光磁気ディスク7で反射された３つのビームは、PBS ３で反射させられ、センサーレンズ８でセンサー９に集光させられる。
【００３３】
そして、ダブルスパイラルの場合、センサー９より得られる出力信号よりトラッキングエラーを検出し、メインビームが照射されているトラックの両サイドの側壁部２３のアニール処理を連続して行える。所望の領域、例えば、ディスク内周から外周まで行える。アニールパワー、線速度等は予め、条件を変えてアニール処理を行って、情報トラックの記録再生特性を評価して決める。
【００３４】
ところで、本実施形態における光磁気ディスク７は、波長６６０ｎｍ、対物レンズNA＝０．６０での記録再生用のものであり、グルーブピッチは１．０μm、ランド・グルーブ幅比約１：１、グルーブ深さは約５０ｎｍ、側壁の傾斜角は約４０°である。この場合、半導体レーザの波長４０５ｎｍ、対物レンズの開口数NA=0.85とした場合のスポットでは、通常のプッシュプル信号は得られない。そこで、プッシュプル信号を得るために、図２に示すように、メインビーム31を太らせている。これは、図３に示した回折格子２における０次光用開口部の大きさD１を選定することにより可能である。
【００３５】
本実施形態では、メインビームは、半導体レーザの波長４０５ｎｍ、対物レンズ開口数NA=0.55〜0.60程度とした場合のスポットになるようにしている。そのために、図３に示すようなグレーティングを用いている。
【００３６】
図３において、点線の円４４は、対物レンズ６の入射瞳に相当する回折格子上の光束径Ｄを示している。光束径Ｄ、Ｄ１、Ｄ２の大きさの関係は、Ｄ２＞Ｄ＞Ｄ１を満たすように選定される。グレーティングが形成されない領域４３は、グレーティングの形成された領域４２それよりも小さい領域に形成され、結果、０次光束は、対物レンズ6の入射瞳時点で入射瞳よりも細い光束となり、低NAで絞られたビームが光磁気ディスク７上に集光する。
【００３７】
尚、メインビームをランド部あるいはグルーブ部上にトラッキングする方法は、従来技術であるプッシュプル法を適用することにより可能である。
【００３８】
本発明の製造方法を特開平６−２９０４９６号に提案されている媒体に、特開２０００−２０７７９１号、特開２０００−１８７８９８号に提案されている記録媒体を適用した例について説明する。この場合、記録層６３として少なくとも、第１、第２、第３、第４、第５の磁性層が順次積層されている磁性多層膜を用いる。第１の磁性層、第２の磁性層は、周囲温度近傍の温度において、第５の磁性層に比べて相対的に磁壁抗磁力が小さい磁性膜からなり、第４の磁性層は、第１、第２、第３及び第５の磁性層よりもキュリー温度の低い磁性膜からなり、第５の磁性層は垂直磁化膜からなっている。
【００３９】
基板として、ポリカーボネートからなる厚さ０．６ｍｍ、ダブルスパイラル状に形成されたランドとグルーブのピッチを０．５５μm、グルーブあるいはランドのみのピッチだと１．１μm、段差（深さ）を０．０４μmとし、このランドとグルーブとの間の側壁部の基板表面に対する傾斜角度が約４０゜になるように成形した直径６４ｍｍの基板を用いた。
【００４０】
ランド・グルーブのパターン領域は、半径１６ｍｍ〜３０ｍｍである。直流マグネトロンスパッタリング装置に、ＢドープしたＳｉ、及びＧｄ、Ｔｂ、Ｆｅ、Ｃｏの各ターゲットを取り付け、前記ポリカーボネイト基板を基板ホルダーに固定した後、１×１０-5Ｐａ以下の高真空になるまでチャンバー内をクライオポンプで真空排気した。真空排気をしたままＡｒガスを０．３Ｐａとなるまでチャンバー内に導入し、基板を回転させながら、第１の誘電体層６２であるＳｉＮ層を４０ｎｍ成膜した。引き続き、第１の磁性層としてＧｄＦｅＣｏ層を１８ｎｍ、第２の磁性層（遮断補助層）としてＧｄＦｅCrを１８ｎｍ、第３の磁性層（後方漏れこみ抑制層）としてTbFeCoを18ｎｍ、第４の磁性層（遮断層）としてTbＦｅ層を１０ｎｍ、第５の磁性層（メモリ層）としてＴｂＦｅＣｏ層を６０ｎｍ順次成膜した。最後に、第２の誘電体層６４としてＳｉＮ層を４５ｎｍ成膜した。ＳｉＮ層成膜時にはＡｒガスに加えてＮ2 ガスを導入し、直流反応性スパッタにより成膜した。各磁性層は、Ｇｄ、Ｔｂ、Ｆｅ、Ｃｏの各ターゲットに直流パワーを印加して成膜した。
【００４１】
各磁性層のキュリー温度は、第１の磁性層が３００℃以上、第２の磁性層が２２０℃、第３の磁性層が１８０℃、第４の磁性層が１６０℃、第５の磁性層が３３０℃程度となるように設定した。各磁性層の組成は、特性が良くなる組成に調整した。その後、レーザー波長４０５nmの３ビームアニール装置を用いて、第２の誘電体層６４側からアニール処理を行った。アニール時の線速度は、一定の４．５m/ｓで行った。また、サブビームのアニールパワーを、５．０ｍWで行った。このアニール条件は、予めアニールパワーを変えて、記録再生評価を行って求めることができる。
【００４２】
待機時あるいはトラックジャンプする際のサブビームのパワーは、１．５ｍWとした。トラッキングは、メインビームを用いて行った。最初、最内周のランド部の両サイドの側壁部にサブビームが照射されるようにトラッキングを掛けた。この時のサブビームのレーザーパワーは１．５ｍWである。その後、レーザーパワーを５．０ｍWにし、連続で各ランド部の両サイドの側壁を照射した。ダブルスパイラル状にランド・グルーブが形成されているため、トラッキングを掛けた状態で連続で最内周から最外周に向かって、各ランド部の両サイドの側壁部が同時にアニール処理される。メインビームが最外周に達したら、サブビームのレーザーパワーを待機時の１．５ｍWに落とし、所望の領域の側壁部すべてがアニールされ、アニール処理工程を終了した。
【００４３】
その後、紫外線硬化樹脂をコートして本発明に係るアニール処理工程を経た情報記録媒体を作成した。その後、ランド部及びグルーブ部の記録再生特性を評価したが、すべての領域で良好な特性であった。また、ランド部及びグルーブ部には、アニール処理された領域は存在していなかった。
【図面の簡単な説明】
【００４４】
【図１】本発明の一実施形態に係る、アニール処理装置の概念図である。
【図２】本発明の一実施形態に係る、光磁気ディスク上のスポットの配置を示す図である。
【図３】本発明の一実施形態に係るアニール処理装置に使用した回折格子（グレーティング）の構造の説明図である。
【図４】本発明の一実施形態に係る、グレーティングの回折光量の格子位相差依存性を示す図である。
【図５】本発明の一実施形態のアニール処理装置によるアニール処理時の光磁気ディスクの断面を模式的に示す図である。
【図６】本発明の一実施形態のアニール処理装置によるアニール処理された情報トラック領域のＭＯ再生信号を示す波形図である。
【符号の説明】
【００４５】
１    半導体レーザ
２    回折格子
３    PBS
４    コリメータ
５    λ／４板
６    対物レンズ
７    光磁気ディスク
８    センサーレンズ
９    センサー
１０    アクチュエータ
１１    トラッキングエラー生成回路
１２    アクチュエータードライブ回路
２１    ランド
２２    グルーブ
２３    側壁部
３１    メインビーム
３２、３３    サブビーム
６１    基板
６２    第１の誘電体層
６３    記録層
６４    第２の誘電体層
【図１】
2005293767.tif 000003
【図２】
2005293767.tif 000004
【図３】
2005293767.tif 000005
【図４】
2005293767.tif 000006
【図５】
2005293767.tif 000007
【図６】
2005293767.tif 000008